(57)【特許請求の範囲】
【請求項１】
互いに隣接する２つの梱包面（１３Ａ，１３Ｂ）の端辺（１３Ａ１，１３Ｂ１）同士を連結するための梱包材の連結構造であって、
一方の梱包面（１３Ａ）の端辺（１３Ａ１）から突出し、当該梱包面（１３Ａ）に対して折り曲げ可能な第１差し込み片（１８）と、
前記一方の梱包面（１３Ａ）の端辺（１３Ａ１）に沿って形成された第１スリット（２０）と、
他方の梱包面（１３Ｂ）の端辺（１３Ｂ１）に折り曲げ可能に連なる折り曲げ面（２３）と、
前記他方の梱包面（１３Ｂ）の端辺（１３Ｂ１）に沿って形成され、前記第１差し込み片（１８）が挿入される第２スリット（２４）と、
前記他方の梱包面（１３Ｂ）の端辺（１３Ｂ１）から突出し、第１スリット（２０）に挿入される第２差し込み片（２７）とを備え、
前記第２差し込み片（２７）は、基部側が他方の梱包面（１３Ｂ）に折り曲げ可能に連なる本体部（２９）と、この本体部（２９）の先端側に折り曲げ可能に連なり、第１スリット（２０）に挿入される差し込み部（３１）とからなり、
前記本体部（２９）の幅方向両側部を摘むために指を挿入可能な一対の開口部（３６）が、前記本体部（２９）の先端側と前記他方の梱包面（１３Ｂ）とに跨って形成され、
さらに前記開口部（３６）は、前記第２差し込み片（２７）が突出する方向の先方側ほど開口幅が広く、かつ前記他方の梱包面（１３Ｂ）の端辺（１３Ｂ１）側において開放していることを特徴とする梱包材の連結構造。
【請求項２】
前記差し込み部（３１）は、一対の前記開口部（３６）の間の本体部（２９）の先端側と同じ幅に形成され、前記本体部（２９）の基部側の幅は、前記本体部（２９）の先端側及び前記差し込み部（３１）の幅よりも広く形成されている、請求項１に記載の梱包材の連結構造。
【発明の詳細な説明】
【技術分野】
【０００１】
本発明は、電気機器等を梱包するために用いる梱包材の連結構造に関する。
【背景技術】
【０００２】
下記特許文献１には、電気機器等を梱包する包装箱が開示されている。この包装箱は、折り曲げ可能なダンボール板から形成されており、四角形状の底板と、底板の４辺から立ち上がる４つの側板と、１つの側板の上端辺に折り曲げ可能に連なる天板と、を備えた６面体形状であり、前記１つの側板に対向する他の側板の上端辺と、天板の先端辺とが、差し込み連結部によって着脱可能に連結されている。
【０００３】
図１０（ａ）は、従来の差し込み連結部の一例を示す展開図、図１０（ｂ）は、同斜視図である。この差し込み連結部は、２枚の板材１１３Ａ，１１３Ｂを連結するものであり、一方の板材１１３Ａは、その端辺から突出するとともに、折り曲げ線１１９を介して折り曲げられる第１差し込み片１１８と、この第１差し込み片１１８の基部に折り曲げ線１１９に沿って形成された第１スリット１２０とを備えている。他方の板材１１３Ｂは、その端辺に折り曲げ線１２２を介して折り曲げられる折り曲げ面１２３と、折り曲げ線１２２に沿って形成され、前記第１差し込み片１１８が挿入される第２スリット１２４と、この第２スリット１２４の中途部において他方の板材１１３Ｂの端辺から突出し、第１スリット１２２に挿入される第２差し込み片１２７とを備えている。
また、第２差し込み片１２７は、基部側の本体部１２９と、先端側の差し込み部１３１とからなり、板材１１３Ｂと本体部１２９との境界、本体部１２９と差し込み部１３１との境界には、それぞれ折り曲げ線１２８，１３０が形成されている。
【０００４】
そして、図１０（ｂ）に示すように、第１差し込み片１１８を約９０°折り曲げた状態で第２スリット１２４に挿入し、第２差し込み片１２７の差し込み部１３１を約９０°折り曲げた状態で第１スリット１２０に差し込むことによって、２枚の板材１１３Ａ，１１３Ｂを強固に連結することができる。
【先行技術文献】
【特許文献】
【０００５】
【特許文献１】特開２００９−９６５０５号公報
【発明の概要】
【発明が解決しようとする課題】
【０００６】
従来の差し込み連結部においては、図１０（ｂ）に示すように、一方の板材１１３Ａの端辺には、第１スリット１２０に隣接して凹部１５０が形成されており、この凹部１５０に指を挿入して差し込み部１３１に押し付け、矢印ａ方向に本体部１２９を引き上げることによって第１スリット１２０から差し込み部１３１を抜き出すことができる。
しかし、大型の電気機器等を梱包する梱包材は、分厚いダンボール材で形成され、剛性も高いため、凹部１５０に挿入した指を差し込み部１３１に押し付けるだけでは本体部１２９を引き上げ難く、第１スリット１２０から差し込み部１３１を抜き出すのが非常に困難である。
【０００７】
本発明は、このような実情に鑑みてなされたものであり、小さな力でも容易に梱包を解くことができる梱包材の連結構造を提供することを目的とする。
【課題を解決するための手段】
【０００８】
本発明は、互いに隣接する２つの梱包面の端辺同士を連結するための梱包材の連結構造であって、
一方の梱包面の端辺から突出し、当該梱包面に対して折り曲げ可能な第１差し込み片と、
前記一方の梱包面の端辺に沿って形成された第１スリットと、
他方の梱包面の端辺に折り曲げ可能に連なる折り曲げ面と、
前記他方の梱包面の端辺に沿って形成され、前記第１差し込み片が挿入される第２スリットと、
前記他方の梱包面の端辺から突出し、第１スリットに挿入される第２差し込み片とを備え、
前記第２差し込み片は、基部側が他方の梱包面に折り曲げ可能に連なる本体部と、この本体部の先端側に折り曲げ可能に連なり、前記第１スリットに挿入される差し込み部とからなり、
前記本体部の幅方向両側部を摘むために指を挿入可能な一対の開口部が、前記本体部の先端側と前記他方の梱包面とに跨って形成され、
さらに前記開口部は、前記第２差し込み片が突出する方向の先方側ほど開口幅が広く、かつ前記他方の梱包面の端辺側において開放していることを特徴とする。
【０００９】
この構成によれば、一対の開口部にそれぞれ指を挿入し、第２差し込み片の本体部の幅方向両側部を指で摘んで本体部を引き上げることによって、第１スリットに挿入された第２差し込み片を抜き出すことができる。したがって、梱包材が分厚い材料で形成され、剛性が高い場合であっても、第２差し込み片を容易に抜き出して梱包を解くことができる。なお、本発明は、梱包材が分厚いほど本体部を摘み易くなるので、より有用性を高めることができる。
【００１０】
前記開口部は、前記本体部の先端側に配置されているので、差し込み部により近い位置で本体部を掴むことができるので、より小さい力で第１スリットから差し込み部を抜き出すことができる。
【００１１】
前記開口部は、前記他方の梱包面の端辺側において開放しているので、開口部に指を挿入し易くなるとともに、本体部の先端を摘み易くなり、より容易に第１スリットから差し込み部を抜き出すことができる。
【００１２】
前記開口部は、広く形成されているほど指を挿入し易く、第２差し込み片の本体部を摘み易くなるが、その反面、本体部の幅方向側部が大きく露出して周囲のものに引っ掛かる可能性も高くなる。そのため、本発明のように、前記第２差し込み片が突出する方向の先方側ほど開口部の開口幅を広くすることによって、指の挿入し易さをある程度確保して本体部のより先端側を摘み易くしながら、本体部の幅方向側部に周囲のものが引っ掛かるのを可及的に防止することができる。
また、前記差込部は、一対の前記開口部の間の本体部の先端側と同じ幅に形成され、前記本体部の基部側の幅は、前記本体部の先端側及び前記差込部の幅よりも広く形成されていてもよい。
【発明の効果】
【００１３】
本発明の梱包材の連結構造によれば、小さな力でも容易に梱包を解くことができる。
【図面の簡単な説明】
【００１４】
【図１】本発明の第１の実施の形態に係る梱包材により被梱包物を梱包する態様を示す斜視図である。
【図２】梱包材の差し込み連結部を示す展開図である。
【図３】連結前の差し込み連結部を示す斜視図である。
【図４】連結後の差し込み連結部を示す斜視図である。
【図５】本発明の第２の実施の形態に係る梱包材の一方の板材における差し込み連結部を示す展開図である。
【図６】本発明の第３の実施の形態に係る梱包材の一方の板材における差し込み連結部を示す展開図である。
【図７】本発明の第４の実施の形態に係る梱包材の一方の板材における差し込み連結部を示す展開図である。
【図８】本発明の第５の実施の形態に係る梱包材の差し込み連結部を示す展開図である。
【図９】本発明の第６の実施の形態に係る梱包材の差し込み連結部を示す展開図である。
【図１０】（ａ）は、従来例に係る梱包材の差し込み連結部を示す展開図、（ｂ）は、同差し込み連結部の斜視図である。
【発明を実施するための形態】
【００１５】
図１は、本発明の第１の実施の形態に係る梱包材により被梱包物を梱包する態様を示す斜視図である。
本実施の形態の梱包材１０は２つの分割体１１からなり、被梱包物１２の外周を２つの分割体１１によって包囲するとともに、互いに隣接する分割体１１の端辺同士を連結することによって、被梱包物１２を梱包するものとされている。本実施の形態では、空気調和装置の室外機等の四角柱形状の被梱包物１２を梱包するため、梱包材１０は、４つの梱包面１３を備えた四角筒形状に形成されている。
【００１６】
各分割体１１は、ダンボール製の一枚の板材１５を中央で折り曲げることによって２つの梱包面１３を備えており、各梱包面１３の一方の端辺に差し込み連結部１６が設けられている。図１に示す例では、各分割体１１の上下２箇所に差し込み連結部１６が設けられている。
【００１７】
図２は、梱包材の差し込み連結部を示す展開図である。
互いに隣接する梱包面１３Ａ，１３Ｂの一方１３Ａには、端辺１３Ａ１から突出する第１差し込み片１８が設けられている。この第１差し込み片１８の基部は、第１折り曲げ線１９を介して折り曲げ可能に梱包面１３Ａに連なり、梱包面１３Ａに対して約９０°の角度で内側に折り曲げられる。また、第１差し込み片１８の基部には、第１折り曲げ線１９に沿って第１スリット２０が形成されている。第１スリット２０の幅（長さ）Ｗ２は、第１差し込み片１８の幅Ｗ１よりも小さく、第１スリット２０は、第１差し込み片１８の幅方向の中央部に配置されている。第１差し込み片１８及び第１スリット２０の幅Ｗ１，Ｗ２は、例えば、Ｗ１＝４００〜５００ｍｍ、Ｗ２＝５０〜９０ｍｍとすることができる。
【００１８】
他方の梱包面１３Ｂの端辺１３Ｂ１には、第２折り曲げ線２２を介して折り曲げ面２３が設けられている。また、折り曲げ面２３の基部には、第２折り曲げ線２２に沿って第２スリット２４が形成され、この第２スリット２４に第１差し込み片１８が挿入される。第２スリット２４の幅（長さ）Ｗ３は、第１差し込み片１８の幅Ｗ１よりもやや小さい寸法に形成され、第２スリット２４に対して無理嵌めされる。したがって、第１差し込み片１８は抵抗を付与された状態で第２スリット２４に挿入される。
【００１９】
他方の梱包面１３Ｂにおいて、第２スリット２４の幅方向中央部には、第２差し込み片２７が形成されている。この第２差し込み片２７は、本体部２９と差し込み部３１とからなり、本体部２９の基部側が第２折り曲げ線２２と平行な第３折り曲げ線２８を介して折り曲げ可能に梱包面１３Ｂに連なっている。差し込み部３１は、本体部２９の先端側に第３折り曲げ線２８と平行な第４折り曲げ線３０を介して折り曲げ可能に連なり、第１スリット２０に挿入される。
【００２０】
第２差し込み片２７の幅Ｗ４は、第１スリット２０の幅Ｗ２とほぼ同じ寸法で、例えばＷ＝５０〜９０ｍｍとされており、親指と人差し指等によって本体部２９の幅方向両側部を片手で摘むことが可能な寸法に設定されている。
【００２１】
本体部２９は、その幅方向両側において第４折り曲げ線３０に直交する方向に延びる切り目３４によって梱包面１３Ｂと区画されており、この切り目３４により、第３折り曲げ線２８を介して本体部２９を梱包面１３Ｂに対して折り曲げることができる。そして、この本体部２９の折り曲げ動作によって、第１スリット２０に対して差し込み部３１を挿入し、又は抜き出すことができる。
【００２２】
本体部２９の幅方向両側と第２スリット２４とに隣接する梱包面１３Ｂの角部には開口部３６が形成されている。本実施の形態の開口部３６は、梱包面１３Ｂの角部を斜めにカットすることによって略三角形状に形成されている。そして、この開口部３６によって、本体部２９の幅方向両側の一部が開放され、各開口部３６内にそれぞれ指を挿入することによって、本体部２９を幅方向両側から摘むことが可能となっている。
【００２３】
図３は、連結前の差し込み連結部を示す斜視図である。
２つの梱包面１３Ａ，１３Ｂの端辺同士を連結するには、まず、第１差し込み片１８を第１折り曲げ線１９を介して約９０°の角度で内側に折り曲げ、折り曲げ面２３を第２折り曲げ線２２を介して約９０°の角度で内側に折り曲げる。また、差し込み部３１を第４折り曲げ線３０を介して約９０°の角度で内側に折り曲げる。そして、第１差し込み片１８を第２スリット２４に挿入し、一方の梱包面１３Ａの裏面に折り曲げ面２３を重ね合わせる。
次に、本体部２９を第３折り曲げ線２８を介して折り曲げて矢印ａ方向に引き上げ（２点鎖線参照）、差し込み部３１を第１スリット２０に挿入する。図４に、連結後の差し込み連結部１６を示す。
【００２４】
以上のように、２つのスリット２０，２４に対して２つの差し込み片１８，２７を挿入することによって、２つの梱包面１３Ａ，１３Ｂを強固に連結することができる。特に、第２差し込み片２７は、第１差し込み片１８が第２スリット２４から抜け出さないようにロックする機能を有しており、この第２差し込み片２７を第１スリット２０から抜き出さない限り、第２スリット２４から第１差し込み片１８を抜き出すことができないように構成されている。
【００２５】
２つの梱包面１３Ａ，１３Ｂの連結を解くために、第２差し込み片２７を第１スリット２０から抜き出すには、２つの開口部３６内にそれぞれ指を挿入して本体部２９を幅方向両側から摘み、本体部２９を矢印ａ方向に引き上げる。これによって、容易に第１スリット２０から差し込み部３１を抜き出すことができる。また、開口部３６によって本体部２９の先端側、すなわち、差し込み部３１により近い側を摘むことができるので、より小さい力で第１スリット２０から差し込み部３１を抜き出すことができる。
【００２６】
また、開口部３６は、他方の梱包面１３Ｂの端辺１３Ｂ１側において開放しているので、より指を挿入し易くなっている。
開口部３６は、略三角形状に形成され、他方の梱包面１３Ｂの端辺１３Ｂ１側ほど開口面積が広くなっている。そのため、開口部３６の開口面積を可及的に小さくしながらも、本体部２９のより先端側を摘み易くして、差し込み部３１の抜き出し易さを確保している。すなわち、開口部３６は、その開口面積が広いほど指を挿入し易く、本体部２９を摘み易くなるが、その反面、本体部２９の幅方向両側が露出して周囲のものが引っ掛かり易くなり、不慮に第１スリット２０から第２差し込み片２７が抜け出す可能性が高くなる。したがって、本実施の形態では、他方の梱包面１３Ｂの端辺１３Ｂ１側ほど開口部３６の開口面積を広くすることによって、このような問題を解消することができる。
【００２７】
図５は、本発明の第２の実施の形態に係る梱包材の一方の梱包面における差し込み連結部を示す展開図である。
上述の第１の実施の形態では、開口部３６が、本体部２９の幅方向両側に位置する梱包面１３Ｂの角部を斜めにカットすることによって略三角形状に形成されていたが、本実施の形態の開口部３６は、当該角部を略Ｌ字状にカットすることによって略四角形状に形成されている。また、当該角部を略Ｌ字状にカットすることによって新たに生じた角部には、Ｒ状の面取り部４０が施され、当該角部が周囲のものに引っ掛かるのを防止している。
【００２８】
本実施の形態においても第１の実施の形態と同様に、開口部３６内に指を挿入して本体部２９の幅方向両側を指で摘むことにより、容易に第１スリット２０から差し込み部３１を抜き出すことができる。
【００２９】
図６は、本発明の第３の実施の形態に係る梱包材の一方の梱包面における差し込み連結部を示す展開図である。
本実施の形態では、第２の実施の形態と同様に梱包面１３Ｂに略四角形状の開口部３６が形成されているが、開口部３６の底部４２がＲ状に丸められている。他の構成は、第２の実施の形態と同様であり、同様の作用効果を奏するほか、開口部３６の底部４２から梱包面１３Ｂに亀裂が生じるのを防止することができる。
【００３０】
図７は、本発明の第４の実施の形態に係る梱包材の一方の梱包面における差し込み連結部を示す展開図である。
本実施の形態では、開口部３６に対して、第２の実施の形態の面取り部４０、第３の実施の形態のＲ状の底部４２とを形成したものである。したがって、本実施の形態では、第２、第３の実施の形態と同様の作用効果を奏する。
【００３１】
図８は、本発明の第５の実施の形態に係る梱包材の差し込み連結部を示す展開図である。
上記第１〜第４の実施の形態では、開口部３６が、梱包面１３Ｂに対して形成されていたが、本実施の形態では、本体部２９に開口部３６が形成されている点が異なっている。すなわち、本体部２９の幅方向両側を凹ませることによって開口部３６を形成し、この開口部３６に指を挿入することによって、本体部２９の幅方向両側を摘むことができるようにしている。
【００３２】
また、開口部３６は、本体部２９の先端側から差し込み部３１の全体にわたって形成されており、このために本体部２９の先端側及び差し込み部３１の幅が小さく、この差し込み部３１の幅に対応して第１スリット２０の幅も小さく形成されている。そのため、上記第１〜第４の実施の形態に比べて、第２差し込み片２７の剛性が若干低下するが、本体部２９をより摘み易くすることができる。
なお、本実施の形態においては、開口部３６を形成した後の差し込み部３１の幅が、例えば第１の実施の形態の差し込み部３１の幅Ｗ４（図２参照）と同等となるように、差し込み片２７の全幅を予め大きめに設定しておいてもよい。このようにすれば、第２差し込み片２７の剛性が低下することもない。
【００３３】
図９は、本発明の第６の実施の形態に係る梱包材の差し込み連結部を示す展開図である。
本実施の形態では、開口部３６が、本体部２９と梱包面１３Ｂとにわたって形成されている。すなわち、本実施の形態の開口部３６は、第１〜４の実施の形態の開口部３６と、第５の実施の形態の開口部３６とを組み合わせた形状となっている。したがって、第５の実施の形態のように、差し込み部３１の幅をそれほど小さくすることなく開口部３６の開口面積を確保することができる。また、開口部３６には、面取り部４０やＲ状の底部４２が形成されている。
【００３４】
本発明は、上記実施の形態に限定されることなく適宜設計変更可能である。
例えば、開口部３６は、本体部２９の先端側ではなく、基部側又は中間部に対応して形成されていてもよく、他方の梱包面１３Ｂの端辺１３Ｂ１において開放していなくてもよい。
本発明は、紙製又はプラスチック製のダンボールからなる梱包材１０に好適に適用することができ、特に、分厚い梱包材１０、例えば３ｍｍ以上の厚さの梱包材１０に適用するのがより好ましい。分厚い梱包材１０ほど、本体部２９の幅方向両側部を摘み易く、差し込み部３１を第１スリット２２から抜き出し易くなるからである。
また、上記実施の形態では、２枚の板材の端部同士を本発明の連結構造により連結することで筒形状の梱包材１０を形成しているが、１枚の板材の両端を本発明の連結構造により連結することで筒形状の梱包材１０を形成してもよい。
また、上記実施の形態では、筒形の梱包材１０に本発明を適用した例を示しているが、箱型（六面体）の梱包材の一部の梱包面の連結に本発明の連結構造を適用してもよい。
【符号の説明】
【００３５】
１０  梱包材
１３Ａ  梱包面
１３Ｂ  梱包面
１６  差し込み連結部
１８  第１差し込み片
１９  第１折り曲げ線
２０  第１スリット
２２  第２折り曲げ線
２３  折り曲げ面
２４  第２スリット
２７  第２差し込み片
２８  第３折り曲げ線
２９  本体部
３０  第４折り曲げ線
３１  差し込み部
３６  開口部
【図１】
0005487952.tif 000002
【図２】
0005487952.tif 000003
【図３】
0005487952.tif 000004
【図４】
0005487952.tif 000005
【図５】
0005487952.tif 000006
【図６】
0005487952.tif 000007
【図７】
0005487952.tif 000008
【図８】
0005487952.tif 000009
【図９】
0005487952.tif 000010
【図１０】
0005487952.tif 000011